(57)【要約】【課題】埋立廃棄物層中に浸透水が集中して流れる短絡経路が形成されることを防止する埋立廃棄物層構造を提供する。【解決手段】埋立廃棄物層底部に集排水管２５を敷設する埋立処分場において、廃棄物層３１と覆土層３２との多層構造をなす埋立廃棄物層２３を形成するのに際し、廃棄物層３１を形成する廃棄物を所定量毎に覆ってネット状の分散材３３を配置したものであり、ネット状の分散材３３を生分解性樹脂で形成したものである。【選択図】    図１
2004351240.tif 000002
【特許請求の範囲】
【請求項１】
埋立廃棄物層底部に浸出水集排水管を敷設する埋立処分場において、廃棄物層と覆土層との多層構造をなす埋立廃棄物層を形成するのに際し、廃棄物層を形成する廃棄物を所定量毎に覆ってネット状の分散材を配置したことを特徴とする埋立廃棄物層構造。
【請求項２】
ネット状の分散材を生分解性樹脂で形成したことを特徴とする請求項１に記載の埋立廃棄物層構造。
【発明の詳細な説明】
【０００１】
【発明の属する技術分野】
本発明は埋立廃棄物層構造に関し、準好気性埋立処分場に埋立てた埋立廃棄物層において浸透水を均等に通水させる技術に係るものである。
【０００２】
【従来の技術】
近年、廃棄物の埋立処分工法として採用事例の多い準好気性埋立処分場としては例えば図２に示すものがある。この準好気性埋立処分場は埋立地の埋立基礎地盤１に遮水工２を施工し、遮水工２の上方に廃棄物を埋め立てる領域を形成し、この領域に埋立廃棄物層３を形成するものであり、遮水工２は粘土層や遮水シート等からなるもので、降水等に由来する浸出水が埋立地基礎地盤１へ浸透することを防止するものである。この廃棄物を埋め立てる埋立領域と非埋立領域の境には双方の領域を隔てる堰堤４を設けており、さらに埋立領域は区画堤（図示省略）によって域内を複数に区画する場合もある。
【０００３】
遮水工２の上部には集排水管５を配設しており、集排水管５は下流端が堰堤４に形成した集排水ピット６に連通している。集排水管５は浸出水を排出するためのものであり、その構造は種々のものがあるが、ここでは有孔管７の周囲を栗石８で覆った構造をなす。集排水ピット６には排水ポンプ９を設けており、集排水ピット６に流入した浸出水を排水ポンプ９で浸出水処理施設へ送水する。埋立廃棄物層３の所定位置にはガス抜管１０を配置しており、ガス抜管１０を通して埋立廃棄物層３で発生するガスを外部へ排出する。
【０００４】
この構造では集排水管５によって浸出水をできるだけ速やかに埋立地の系外へ排除する。また、廃棄物の微生物分解によって発生した熱で埋立地内の温度が上昇して内部温度と外気温度との差により熱対流が生じ、この熱対流で空気（酸素）が集排水管５を通って埋立廃棄物層３へ導入され、空気を取り込むことによって埋立廃棄物層３の中に好気性の微生物環境を形成する。
【０００５】
この種の埋立処分方法に係る先行技術文献としては特許文献１がある。
【０００６】
【特許文献１】
特開昭６３−１４２１１１号公報
【０００７】
【発明が解決しようとする課題】
ところで、準好気性埋立処分場においては、自然降水や人工散水を利用して埋立廃棄物層３の廃棄物を洗い出す効果を得ることで、処分場の早期安定化を図っている。
【０００８】
しかし、埋立廃棄物層３は基本的に不均質な構造であり、一般的に廃棄物の種類は単一でなく、単一である場合でも廃棄物の粒度、粒径、粒形、含水率、硬さに分布が存在し、不均一な性状である。また、廃棄物の締め固めの程度にも分布が存在し、埋立廃棄物層３が不均質な構造となる。このため、雨水等の埋立廃棄物層３の表層から層中に浸透した浸透水は特定の経路（水みち）１１しか流れず、浸透水に晒されない領域１２ができる。
【０００９】
また、埋立廃棄物層３は廃棄物層と廃棄物層を覆う覆土層の多層構造となっている。覆土層は廃棄物を搬入するための車両が通る道であり、廃棄物の臭いや飛散を抑える役目も兼用している。廃棄物層内の水みちを通って覆土層に至った浸透水は、覆土自体が水の分散能力が小さいために、覆土直下の廃棄物層へ浸透水が均等に浸透することはなく、覆土層の特定の地点でのみ浸透水が流れる。つまり、廃棄物層間の覆土層では上部の廃棄物層で形成された水みち１１により浸透水の集中を解消することはできない。
【００１０】
埋立廃棄層３に浸透水が集中して流れる特定の経路（水みち）１１が存在することは廃棄物層中の汚染物質の洗い出し効果を失うことになり、埋立処分場の安定化に長期間を要することになる。
【００１１】
特許文献１に開示するものは、埋立処分場底部の浸出水集排水管に接続するように排気ダクトを設け、排気ダクト上部の排気扇を作動させて排気ダクト内および浸出水集排水管内を負圧として埋立廃棄物層内のガスおよび浸出水を浸出水集排水管に収集するものである。
【００１２】
しかし、浸出水集排水管内を負圧とすることで埋立廃棄物層中に浸出水を取り込む場合に、埋立廃棄物層を流れる浸透水の流れが埋立廃棄物層の密度や締め固め具合に大きく影響され、浸透水が集中的に流れる短絡経路が自然発生して埋立地全体の早期の安定化を図る上で問題があった。
【００１３】
本発明は上記した課題を解決するものであり、埋立廃棄物層中に浸透水が集中して流れる短絡経路が形成されることを防止する埋立廃棄物層構造を提供することを目的とする。
【００１４】
【課題を解決するための手段】
上記課題を解決するために、請求項１に係る本発明の埋立廃棄物層構造は、埋立廃棄物層底部に浸出水集排水管を敷設する埋立処分場において、廃棄物層と覆土層との多層構造をなす埋立廃棄物層を形成するのに際し、廃棄物層を形成する廃棄物を所定量毎に覆ってネット状の分散材を配置したものである。
【００１５】
請求項２に係る本発明の埋立廃棄物層構造は、ネット状の分散材を生分解性樹脂で形成したものである。
上記した構成により、ネット状の分散材は樹脂（天然、人工）、生分解性樹脂等で形成した所定目幅（１〜２ｃｍ）のネット状物であり、一般にジオネットとして知られているものを使用する。
【００１６】
自然降水や人工散水によって埋立廃棄物層の表層の覆土層に浸透した浸透水は覆土層を通過して廃棄物層へ浸透する。廃棄物層へ浸透する浸透水はネット状の分散材に当たって廃棄物層中に分散する。
【００１７】
したがって、廃棄物層と覆土層との多層構造をなす埋立廃棄物層中を浸透水が流れる間において、廃棄物層中の各ネット状の分散材に覆われた領域において浸透水が特定の経路（水みち）を流れても、あるいは覆土層が浸透水の分散性に乏しくても、浸透水が下層のネット状の分散材において再び分散されることで、廃棄物層で形成された水みちによる浸透水の集中を解消することができ、埋立廃棄物層の全体として浸透水が均等に流れて廃棄物層中の汚染物質の洗い出し効果を促進し、埋立処分場を早期に安定化して早期閉鎖が可能となる。
【００１８】
また、ネット状の分散材を生分解性樹脂で形成する場合には、ネット状の分散材が生分解した後に埋立廃棄物層中に網目状に水の経路が形成され、浸透水が埋立廃棄物層中に行き渡り、廃棄物層中の汚染物質の洗い出し効果を促進する。
【００１９】
【発明の実施の形態】
以下、本発明の実施の形態を図面に基づいて説明する。図１において、準好気性埋立処分場２０は、埋立地の埋立基礎地盤２１に遮水工２２を施工し、遮水工２２の上方に廃棄物を埋め立てる領域を形成したもので、この領域に埋立廃棄物層２３を形成する。遮水工２２は粘土層や遮水シート等からなるもので、降水等に由来する浸出水が埋立地基礎地盤２１へ浸透することを防止する。廃棄物を埋め立てる埋立領域と非埋立領域の境には双方の領域を隔てる堰堤２４を設けており、さらに埋立領域は必要に応じて区画堤（図示省略）によって域内を複数に区画している。
【００２０】
遮水工２２の上部には集排水管（浸出水集排水管）２５を配設しており、集排水管２５は下流端が堰堤２４に形成した集排水ピット２６に連通し、本管から複数の枝管が分岐する構造をなしている。集排水管２５は浸出水を排出するためのものであり、その構造は種々のものがあるが、ここでは有孔管２７の周囲を栗石２８で覆った構造をなす。
【００２１】
集排水ピット２６には排水ポンプ２９を設けており、排水ポンプ２９は集排水ピット２６に流入した浸出水を浸出水処理施設（図示省略）へ送水もしくは放流する。埋立廃棄物層２３の所定位置にはガス抜管３０を配置しており、ガス抜管３０を通して埋立廃棄物層２３で発生するガスを外部へ排出する。
【００２２】
埋立廃棄物層２３は廃棄物層３１と覆土層３２との多層構造をなしており、廃棄物層３１を形成する廃棄物を所定量毎に覆ってネット状の分散材３３を配置し、その上に覆土してさらに廃棄物を積層して再びネット状の分散材３３で覆っている。ネット状の分散材は樹脂（天然、人工）、生分解性樹脂等で形成した所定目幅（１〜２ｃｍ）のネット状物であり、一般にジオネットとして知られているものを使用する。
【００２３】
以下、上記した構成における作用を説明する。埋立廃棄物層２３では、廃棄物の微生物分解によって発生した熱で埋立地内の温度が上昇して内部温度と外気温度との差により熱対流が生じ、この熱対流で空気（酸素）が集排水管２５を通って埋立廃棄物層２３へ導入され、空気を取り込むことによって埋立廃棄物層２３の中に好気性の微生物環境を形成する。
【００２４】
自然降水や人工散水によって埋立廃棄物層の表層の覆土層に浸透した浸透水は、覆土層３２を通過して廃棄物層３１へ浸透する。廃棄物層３１へ浸透する浸透水はネット状の分散材３３に当たって廃棄物層３１の中へ分散する。
【００２５】
このため、廃棄物層３１と覆土層３２との多層構造をなす埋立廃棄物層２３を浸透水が流れる間において、廃棄物層３１の各ネット状の分散材３３に覆われた領域において浸透水が特定の経路（水みち）を流れても、あるは覆土層３２が浸透水の分散性に乏しくても、浸透水が下層のネット状の分散材３３において再び分散されることで、廃棄物層で形成された水みちによる浸透水の集中を解消することができ、埋立廃棄物層２３の全体として浸透水が均等に流れて廃棄物層３１の汚染物質の洗い出し効果を促進し、埋立処分場を早期に安定化して早期閉鎖が可能となる。
【００２６】
ネット状の分散材３３は覆土層３２の間に水平に挿入しても良いが、図１に示すように廃棄物のまとまり毎に包み込むように配置する方が、水平方向の水の流れも分散することができて効果が大きくなる。何れの場合も、覆土層３２で区画された各廃棄物層３１において底部遮水シートへの分散材３３の鉛直斜影が、底部遮水シートを覆うように配置する。隣合う各分散材３３の斜影の重なりが大きいほど水の分散効果が高くなる。
【００２７】
埋立廃棄物層２３を通過した浸出水は、栗石２８および有孔管２７からなる集排水管２５に流入し、堰堤２４の集排水ピット２６から排水ポンプ２９で速やかに埋立地の系外へ排除される。
【００２８】
ネット状の分散材３３を生分解性樹脂で形成する場合には、ネット状の分散材３３が生分解した後に埋立廃棄物層２３に網目状に水の経路が形成されるので、この経路を通して浸透水が埋立廃棄物層２３の全体に行き渡り、廃棄物層３１の汚染物質の洗い出し効果を促進することができる。
【００２９】
【発明の効果】
以上のように本発明によれば、自然降水や人工散水によって埋立廃棄物層に浸透した浸透水をネット状の分散材で廃棄物層中に分散することで、廃棄物層で形成された水みちによる浸透水の集中を解消することができ、埋立廃棄物層の全体として浸透水が均等に流れて廃棄物層中の汚染物質の洗い出し効果を促進し、埋立処分場を早期に安定化して早期閉鎖が可能となる。また、生分解性樹脂で形成されたネット状の分散材が生分解した後に埋立廃棄物層中に網目状に水の経路が形成されることで、浸透水が埋立廃棄物層中に行き渡り、廃棄物層中の汚染物質の洗い出し効果を促進できる。
【図面の簡単な説明】
【図１】本発明の実施の形態における埋立廃棄物構造を示す模式図である。
【図２】従来の埋立廃棄物構造を示す模式図である。
【符号の説明】
２０    準好気性埋立処分場
２１    埋立基礎地盤
２２    遮水工
２３    埋立廃棄物層
２４    堰堤
２５    集排水管（浸出水集排水管）
２６    集排水ピット
２７    有孔管
２８    栗石
２９    排水ポンプ
３０    ガス抜管
３１    廃棄物層
３２    覆土層
３３    ネット状の分散材
【図１】
2004351240.tif 000003
【図２】
2004351240.tif 000004